(57)【要約】      （修正有）【課題】係合ピンを筒状収納部にスムーズに挿し込むことが可能で、長い期間の使用に耐えられるピアスイヤリングを提供する。【解決手段】金属製ピアスイヤリング本体の一方の端部に、該ピアスイヤリング本体の端部から直線状に伸びて先端に係合溝が形成された係合ピンを、また他方の端部には該係合ピンをほぼがたつきなく挿入可能であって、前記ピアスイヤリング本体の端部から直線状に伸びて端部には開口部３１が形成され、かつ前記筒状収納部の内奥には前記係合ピンの係合溝２１を抜け止めする係合手段３２が配設された筒状収納部を一体的に備えたピアスイヤリングであって、前記係合ピンを耳たぶの孔に挿入した上、係合ピンを前記筒状収納部の開口部からはめ込んで係合溝を係合手段に係合させることにより、ピアスイヤリングを耳たぶに装着するようにしたことを特徴とするピアスイヤリング。【選択図】図５
2016093263.tif 000002
【特許請求の範囲】
【請求項１】
金属製ピアスイヤリング本体の一方の端部に、該ピアスイヤリング本体の端部から直線状に伸びて先端に係合溝が形成された係合ピンを、また他方の端部には該係合ピンをほぼがたつきなく挿入可能であって、前記ピアスイヤリング本体の端部から直線状に伸びて端部には開口部が形成され、かつ前記筒状収納部の内奥には前記係合ピンの係合溝を抜け止めする係合手段が配設された筒状収納部を一体的に備えたピアスイヤリングであって、
前記係合ピンを耳たぶの孔に挿入した上、係合ピンを前記筒状収納部の開口部からはめ込んで係合溝を係合手段に係合させることにより、ピアスイヤリングを耳たぶに装着するようにしたことを特徴とするピアスイヤリング。
【請求項２】
前記金属製ピアスイヤリング本体が、金属線または金属パイプからなることを特徴とする請求項1記載のピアスイヤリング
【請求項３】
前記係合手段が、前記筒状収納部の開口部から所定の距離をおいて金属製ピアスイヤリング本体に軸着され、係合ピン側の端部に前記係合溝に係合するフック部を設けた首振りアームと、その反対側に前記フック部を備えた首振りアームを開閉させるための操作部と、該操作部を押して常態で前記フック部を前記係合ピンの係合溝に係合させるバネを備えていることを特徴とする請求項1または２記載のピアスイヤリング
【発明の詳細な説明】
【技術分野】
【０００１】
この発明は、耳たぶへの装着が容易で係合部の着脱もスムーズに行うことができ、耐久性に優れたピアスイヤリングに関するものである。
【背景技術】
【０００２】
従来、この種のピアスイヤリングとしては、本件発明者が提案した特願２０１０−７５１２号（特開２０１１−１４３１２０号公報、特許文献１参照）のような、金属製ピアスイヤリング本体の一方の端部には係合ピンを、他方の端部には前記係合ピンを挿入可能な筒状収納部を一体的に備えたピアスイヤリングであって、前記係合ピンはピアスイヤリング本体の延長線上のほぼ円弧状として、先端にフック部を形成し、前記筒状収納部はピアスイヤリング本体の延長線上のほぼ円弧状として、その開口端部は大きい径に形成するとともに、前記筒状収納部の内奥には前記係合ピンのフック部を抜け止めする係合部が形成してあり、前記係合ピンを耳たぶの孔に挿入した上、係合ピンを前記筒状収納部の開口端部からはめ込んでフック部を係合部に引っ掛けることにより、ピアスイヤリングを耳たぶに装着するようにしたイヤリングが知られている。
【０００３】
上述のイヤリングにおいては、金属製ピアスイヤリング本体の一端に取り付けた係合ピンをその他端に取り付けた筒状収納部にスムーズに挿し込むことが可能であって、しかも耳たぶに取り付けたのちにピアスイヤリングの落下を確実に防止することができ、したがって長い期間の使用に耐えられるピアスイヤリングを提供することができる。
【先行技術文献】
【特許文献】
【０００４】
【特許文献１】特願２０１０−７５１２号（特開２０１１−１４３１２０号公報）
【発明の概要】
【発明が解決しようとする課題】
【０００５】
上述のように、特願２０１０−７５１２号（特開２０１１−１４３１２０号公報、特許文献１参照）のものにおいては、金属製ピアスイヤリング本体の一端に取り付けた係合ピンをその他端に取り付けた筒状収納部にスムーズに挿し込むことが可能であって、しかも耳たぶに取り付けたのちにピアスイヤリングの落下を確実に防止することができ、したがって長い期間の使用に耐えられるという効果が認められる。
【０００６】
しかしながらその一方で、係合ピンはピアスイヤリング本体の延長線上のほぼ円弧状として先端にフック部を形成し、前記筒状収納部はピアスイヤリング本体の延長線上のほぼ円弧状としてその内周面は大きい内径に形成してあるため、使用中に円弧状の係合ピンが真っ直ぐになったり、円弧状の円弧の径が大きくなってしまっていた。
そのため、係合ピンのフック部が係合部から外れやすくなり、その都度係合ピンの形状（径）を元の円弧状の状態に戻す必要があって加工業者に頼まなければならず、非常に面倒であった。
【０００７】
この発明のピアスイヤリングは従来のイヤリングの前記欠点を改良するものであって、耳たぶに取り付けたのちに係合部分がはずれにくいためにその落下を確実に防止することができ、しかも係合ピンを筒状収納部にスムーズに挿し込むことが可能であって、製造も簡単でコストアップを招くこともなく、長い期間の使用に耐えられるピアスイヤリングを提供しようとするものである。
【課題を解決するための手段】
【０００８】
すなわちこの発明のピアスイヤリングは、金属製ピアスイヤリング本体の一方の端部に、該ピアスイヤリング本体の端部から直線状に伸びて先端に係合溝が形成された係合ピンを、また他方の端部には該係合ピンをほぼがたつきなく挿入可能であって、前記ピアスイヤリング本体の端部から直線状に伸びて端部には開口部が形成され、かつ前記筒状収納部の内奥には前記係合ピンの係合溝を抜け止めする係合手段が配設された筒状収納部を一体的に備えたピアスイヤリングであって、
前記係合ピンを耳たぶの孔に挿入した上、係合ピンを前記筒状収納部の開口部からはめ込んで係合溝を係合手段に係合させることにより、ピアスイヤリングを耳たぶに装着するようにしたことを特徴とするものである。
【０００９】
この発明のピアスイヤリングにおいて、前記金属製ピアスイヤリング本体が、金属線または金属パイプからなることをも特徴とするものである。
【００１０】
この発明のピアスイヤリングにおいて、前記係合手段が、前記筒状収納部の開口部から所定の距離をおいて金属製ピアスイヤリング本体に軸着され、係合ピン側の端部に前記係合溝に係合するフック部を設けた首振りアームと、その反対側に前記フック部を備えた首振りアームを開閉させるための操作部と、該操作部を押して常態で前記フック部を前記係合ピンの係合溝に係合させるバネを備えていることをも特徴とするものである。
【発明の効果】
【００１１】
以上のようにこの発明においては、耳たぶに取り付けたのちに係合部分がはずれにくいためにその落下を確実に防止することができ、しかも係合ピンを筒状収納部にスムーズに挿し込むことが可能であって、製造も簡単でコストアップを招くこともなく、長い期間の使用に耐えられるピアスイヤリングを提供することができるようになった。
また、耳たぶへの取り付けに際して「カチッ」という係合音や感触があって、正確にはめ込めているかどうかの確認がたやすくでき、使用者に安心感を与えることができるという商品として多大な付加価値を持つものとすることができる。
【図面の簡単な説明】
【００１２】
【図１】この発明のピアスイヤリングの実施の形態を示す側面図である。
【図２】係合ピンを筒状収納部に挿入しようとしている状態の要部拡大断面図である。
【図３】係合ピンを筒状収納部に挿入しつつある状態の要部拡大断面図である。
【図４】係合ピンを筒状収納部に挿入した状態の要部拡大断面図である。
【図５】係合ピンを筒状収納部から引き抜くために操作部を指で押そうとしている状態の要部拡大断面図である。
【図６】係合ピンを筒状収納部から引き抜くために操作部を指で押した状態の要部拡大断面図である。
【図７】係合ピンを筒状収納部から引き抜いた状態の要部拡大断面図である。
【図８】係合ピンと筒状収納部の別の例を示す要部拡大断面図である。
【発明を実施するための形態】
【００１３】
以下、この発明のピアスイヤリングの実施の形態を図面に基いてより詳しく説明する。
図１ないし図７に示す実施例において、１１は金属製ピアスイヤリング本体で、その一方の端部には係合ピン１２が、また他方の端部には前記係合ピン１２を挿入可能な筒状収納部１３が一体的に取り付けられている。
【００１４】
前記金属製ピアスイヤリング本体１１の素材としては、金や銀、プラチナ、あるいはそれらの合金のみならず、その他の金属、あるいはそれらとプラスチック等との複合材を使用することができる。
また、それらの素材をワイヤ状、あるいはパイプ状等に加工したものとすることが可能である。前記金属製ピアスイヤリング本体１１は、指で係合ピン１２を筒状収納部１３に向けて押し込めるような可撓性を有するものであっても、１対の円弧状部材のほぼ中央を軸着したいわゆる中折れ式のものであってもよい。
さらに、金属製ピアスイヤリング本体１１の形状も、内部に空間を備えた形状であれば、円形、楕円形のみならず、三角形やひし形等の全体形状を備えたものであってもよい。
【００１５】
そして、前記係合ピン１２はピアスイヤリング本体１１の一方の端部から筒状収納部１３に向けて直線状に伸びており、また先端には係合溝２１が形成してある。
この係合溝２１は、その先端の周囲に形成したＶ溝やＵ溝、その他の凹溝であったり、その先端の外周側に形成した溝ないし段差とすることもできる。
【００１６】
前記筒状収納部１３もまた、ピアスイヤリング本体１１の他方の端部から直線状に伸びている。そしてその開口部３１は外に向かって開くテーパ状に形成され、かつ前記筒状収納部１３の内奥には前記係合ピン１２の係合溝２１を抜け止めする係合手段３２が配設されている。
なお、前記係合ピン１２と前記筒状収納部１３の関係は、前記筒状収納部１３に係合ピン１２がほぼがたつきなく挿入可能なサイズにそれぞれ形成されている。
【００１７】
前記係合手段３２は、前記筒状収納部１３の開口部３１から所定の距離をおいてピアスイヤリング本体１１に軸３５で軸着され、係合ピン１２側の端部に前記係合溝２１に係合するフック部３４を設けた首振りアーム３３と、その反対側に前記フック部３４を備えた首振りアーム３３を開閉させるための操作部３６とを備えている。３７は、前記係合手段３２を常態において閉じた状態に保持するための板バネであり、該板バネ３７で操作部３６をその裏側から押すことにより、前記首振りアーム３３を常に閉じた状態に保持するようになっている。
【００１８】
したがって、前記係合ピン１２を耳たぶの孔に挿入した上、係合ピン１２を前記筒状収納部１３の開口部３１からはめ込んで係合溝２１を前記フック部３４に引っ掛けるようにすれば、ピアスイヤリングを耳たぶに確実に装着することができるようになるのである。
その際、耳たぶへの取り付けに際して「カチッ」という係合音や感触があって、使用者に大きな安心感を与えることができる。
また、指等で前記操作部３６を押せば前記首振りアーム３３が開方向に首振りし、前記係合溝２１とフック部３４との係合が解かれて前記係合ピン１２は簡単に引き抜くことができる。
【００１９】
以下、図２ないし図７に基いて本発明のピアスイヤリングの動作について説明する。
図２ないし図４は係合ピン１２を前記筒状収納部１３内にはめ込む過程を、図５ないし図７は係合ピン１２を前記筒状収納部１３から引き抜く過程を示すものである。
先ず係合ピン１２を前記筒状収納部１３内にはめ込む過程を示す図２においては、前記係合手段３２は板バネ３７を介して常態において閉じた状態に保持されており、図示した係合ピン１２を前記筒状収納部１３の開口部３１からはめ込むのである。
【００２０】
図３においては、係合ピン１２を前記筒状収納部１３の開口部３１からはめ込み、係合ピン１２を押し込む際の圧力で、首振りアーム３３のフック部３４の端面に設けたテーパ面を滑らせ、首振りアーム３３を押し開く状態を示している。
【００２１】
図４においては、前記係合ピン１２がさらに前記筒状収納部１３の内奥まで押し込まれ、前記首振りアーム３３のフック部３４が係合ピン１２の係合溝２１に係合した状態となっている。
【００２２】
係合ピン１２を前記筒状収納部１３から引き抜く過程を示す図５においては、前記首振りアーム３３のフック部３４が係合ピン１２の係合溝２１に係合した状態において、指等で操作部３６を押そうとしている状態を示している。
【００２３】
図６においては、指等で操作部３６が押され、前記首振りアーム３３が持ち上がってフック部３４が係合ピン１２の係合溝２１から外れた状態となっている。
【００２４】
図７においては、前記首振りアーム３３が持ち上がってフック部３４が係合ピン１２の係合溝２１から外れた状態において、係合ピン１２を前記筒状収納部１３の開口部３１から引き抜いた状態となっている。
なお前記係合ピン１２は前記筒状収納部１３内を進退する際に、形状は直線状であるのに対し、その動作においては回転円に沿った円弧状に動くことになるが、そのような直線状と円弧状との相反する動きは係合ピン１２の素材の持つ弾性によって十分に吸収することが可能である。
【００２５】
図８は、係合ピン１２ａと筒状収納部１３ａの開口部３１部分の別の例を示すものである。
この例においては、係合ピン１２ａの外周の後方が太くなるように段差１２ｂが形成してあり、筒状収納部１３ａには係合ピン１２ａの段差１２ｂに対応して、内周の後方が細くなるように段差１３ｂが形成してある。
このようにすることによって、係合ピン１２ａの曲り等をより確実に防止することができる。
【産業上の利用可能性】
【００２６】
この発明のピアスイヤリングの使用に際しては、前記係合ピン１２を耳たぶの孔に挿入した上、係合ピン１２を前記筒状収納部１３の開口部３１からはめ込んで係合溝２１を前記首振りアーム３３のフック部３４に引っ掛けるようにすれば、ピアスイヤリングを耳たぶに確実に装着することができる。
したがって、図示したような単なるピアスイヤリングとしてのみならず、装身具の範疇を越えない限り、クラスプその他種々の装身具にも適用可能であることはいうまでもない。
【符号の説明】
【００２７】
１１  ピアスイヤリング本体
１２  係合ピン
１２ａ  係合ピン
１２ｂ  段差
１３  筒状収納部
１３ａ  筒状収納部
１３ｂ  段差
２１  係合溝
３１  開口部
３２  係合手段
３３  首振りアーム
３４  フック部
３５  軸
３６  操作部
３７  板バネ
【図１】
2016093263.tif 000003
【図２】
2016093263.tif 000004
【図３】
2016093263.tif 000005
【図４】
2016093263.tif 000006
【図５】
2016093263.tif 000007
【図６】
2016093263.tif 000008
【図７】
2016093263.tif 000009
【図８】
2016093263.tif 000010
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
金属製ピアスイヤリング本体の一方の端部に、該ピアスイヤリング本体の端部から直線状に伸びて先端に係合溝が形成された係合ピンを、
また他方の端部には、前記ピアスイヤリング本体の端部から直線状に伸びて該係合ピンをほぼがたつきなく挿入可能な開口部を有する筒状収納部が形成され、
かつ前記筒状収納部の内奥には前記係合ピンの係合溝を抜け止めする係合手段が配設された筒状収納部を一体的に備えたピアスイヤリングであって、
前記係合ピンを耳たぶの孔に挿入した上、係合ピンを前記筒状収納部の開口部からはめ込んで係合溝を係合手段に係合させることにより、ピアスイヤリングを耳たぶに装着するようにしたことを特徴とするピアスイヤリング。
【請求項２】
前記金属製ピアスイヤリング本体が、金属線または金属パイプからなることを特徴とする請求項1記載のピアスイヤリング。
【請求項３】
前記係合手段が、前記筒状収納部の開口部から所定の距離をおいて金属製ピアスイヤリング本体に軸着され、係合ピン側の端部に前記係合溝に係合するフック部を設けた首振りアームと、その反対側に前記フック部を備えた首振りアームを開閉させるための操作部と、該操作部を押して常態で前記フック部を前記係合ピンの係合溝に係合させるバネを備えていることを特徴とする請求項1または２記載のピアスイヤリング。
【手続補正２】
【補正対象書類名】明細書
【補正対象項目名】全文
【補正方法】変更
【補正の内容】
【発明の詳細な説明】
【技術分野】
【０００１】
この発明は、耳たぶへの装着が容易で係合部の着脱もスムーズに行うことができ、耐久性に優れたピアスイヤリングに関するものである。
【背景技術】
【０００２】
従来、この種のピアスイヤリングとしては、本件発明者が提案した特願２０１０−７５１２号（特開２０１１−１４３１２０号公報、特許文献１参照）のような、金属製ピアスイヤリング本体の一方の端部には係合ピンを、他方の端部には前記係合ピンを挿入可能な筒状収納部を一体的に備えたピアスイヤリングであって、前記係合ピンはピアスイヤリング本体の延長線上のほぼ円弧状として、先端にフック部を形成し、前記筒状収納部はピアスイヤリング本体の延長線上のほぼ円弧状として、その開口端部は大きい径に形成するとともに、前記筒状収納部の内奥には前記係合ピンのフック部を抜け止めする係合部が形成してあり、前記係合ピンを耳たぶの孔に挿入した上、係合ピンを前記筒状収納部の開口端部からはめ込んでフック部を係合部に引っ掛けることにより、ピアスイヤリングを耳たぶに装着するようにしたイヤリングが知られている。
【０００３】
上述のイヤリングにおいては、金属製ピアスイヤリング本体の一端に取り付けた係合ピンをその他端に取り付けた筒状収納部にスムーズに挿し込むことが可能であって、しかも耳たぶに取り付けたのちにピアスイヤリングの落下を確実に防止することができ、したがって長い期間の使用に耐えられるピアスイヤリングを提供することができる。
【先行技術文献】
【特許文献】
【０００４】
【特許文献１】特願２０１０−７５１２号（特開２０１１−１４３１２０号公報）
【発明の概要】
【発明が解決しようとする課題】
【０００５】
上述のように、特願２０１０−７５１２号（特開２０１１−１４３１２０号公報、特許文献１参照）のものにおいては、金属製ピアスイヤリング本体の一端に取り付けた係合ピンをその他端に取り付けた筒状収納部にスムーズに挿し込むことが可能であって、しかも耳たぶに取り付けたのちにピアスイヤリングの落下を確実に防止することができ、したがって長い期間の使用に耐えられるという効果が認められる。
【０００６】
しかしながらその一方で、係合ピンはピアスイヤリング本体の延長線上のほぼ円弧状として先端にフック部を形成し、前記筒状収納部はピアスイヤリング本体の延長線上のほぼ円弧状としてその内周面は大きい内径に形成してあるため、使用中に円弧状の係合ピンが真っ直ぐになったり、円弧状の円弧の径が大きくなってしまっていた。
そのため、係合ピンのフック部が係合部から外れやすくなり、その都度係合ピンの形状（径）を元の円弧状の状態に戻す必要があって加工業者に頼まなければならず、非常に面倒であった。
【０００７】
この発明のピアスイヤリングは従来のイヤリングの前記欠点を改良するものであって、耳たぶに取り付けたのちに係合部分がはずれにくいためにその落下を確実に防止することができ、しかも係合ピンを筒状収納部にスムーズに挿し込むことが可能であって、製造も簡単でコストアップを招くこともなく、長い期間の使用に耐えられるピアスイヤリングを提供しようとするものである。
【課題を解決するための手段】
【０００８】
すなわちこの発明のピアスイヤリングは、金属製ピアスイヤリング本体の一方の端部に、該ピアスイヤリング本体の端部から直線状に伸びて先端に係合溝が形成された係合ピンを、
また他方の端部には、前記ピアスイヤリング本体の端部から直線状に伸びて該係合ピンをほぼがたつきなく挿入可能な開口部を有する筒状収納部が形成され、
かつ前記筒状収納部の内奥には前記係合ピンの係合溝を抜け止めする係合手段が配設された筒状収納部を一体的に備えたピアスイヤリングであって、
前記係合ピンを耳たぶの孔に挿入した上、係合ピンを前記筒状収納部の開口部からはめ込んで係合溝を係合手段に係合させることにより、ピアスイヤリングを耳たぶに装着するようにしたことを特徴とするものである。
【０００９】
この発明のピアスイヤリングにおいて、前記金属製ピアスイヤリング本体が、金属線または金属パイプからなることをも特徴とするものである。
【００１０】
この発明のピアスイヤリングにおいて、前記係合手段が、前記筒状収納部の開口部から所定の距離をおいて金属製ピアスイヤリング本体に軸着され、係合ピン側の端部に前記係合溝に係合するフック部を設けた首振りアームと、その反対側に前記フック部を備えた首振りアームを開閉させるための操作部と、該操作部を押して常態で前記フック部を前記係合ピンの係合溝に係合させるバネを備えていることをも特徴とするものである。
【発明の効果】
【００１１】
以上のようにこの発明においては、耳たぶに取り付けたのちに係合部分がはずれにくいためにその落下を確実に防止することができ、しかも係合ピンを筒状収納部にスムーズに挿し込むことが可能であって、製造も簡単でコストアップを招くこともなく、長い期間の使用に耐えられるピアスイヤリングを提供することができるようになった。
また、耳たぶへの取り付けに際して「カチッ」という係合音や感触があって、正確にはめ込めているかどうかの確認がたやすくでき、使用者に安心感を与えることができるという商品として多大な付加価値を持つものとすることができる。
【図面の簡単な説明】
【００１２】
【図１】この発明のピアスイヤリングの実施の形態を示す側面図である。
【図２】係合ピンを筒状収納部に挿入しようとしている状態の要部拡大断面図である。
【図３】係合ピンを筒状収納部に挿入しつつある状態の要部拡大断面図である。
【図４】係合ピンを筒状収納部に挿入した状態の要部拡大断面図である。
【図５】係合ピンを筒状収納部から引き抜くために操作部を指で押そうとしている状態の要部拡大断面図である。
【図６】係合ピンを筒状収納部から引き抜くために操作部を指で押した状態の要部拡大断面図である。
【図７】係合ピンを筒状収納部から引き抜いた状態の要部拡大断面図である。
【図８】係合ピンと筒状収納部の別の例を示す要部拡大断面図である。
【発明を実施するための形態】
【００１３】
以下、この発明のピアスイヤリングの実施の形態を図面に基いてより詳しく説明する。
図１ないし図７に示す実施例において、１１は金属製ピアスイヤリング本体で、その一方の端部には係合ピン１２が、また他方の端部には前記係合ピン１２を挿入可能な筒状収納部１３が一体的に取り付けられている。
【００１４】
前記金属製ピアスイヤリング本体１１の素材としては、金や銀、プラチナ、あるいはそれらの合金のみならず、その他の金属、あるいはそれらとプラスチック等との複合材を使用することができる。
また、それらの素材をワイヤ状、あるいはパイプ状等に加工したものとすることが可能である。前記金属製ピアスイヤリング本体１１は、指で係合ピン１２を筒状収納部１３に向けて押し込めるような可撓性を有するものであっても、１対の円弧状部材のほぼ中央を軸着したいわゆる中折れ式のものであってもよい。
さらに、金属製ピアスイヤリング本体１１の形状も、内部に空間を備えた形状であれば、円形、楕円形のみならず、三角形やひし形等の全体形状を備えたものであってもよい。
【００１５】
そして、前記係合ピン１２はピアスイヤリング本体１１の一方の端部から筒状収納部１３に向けて直線状に伸びており、また先端には係合溝２１が形成してある。
この係合溝２１は、その先端の周囲に形成したＶ溝やＵ溝、その他の凹溝であったり、その先端の外周側に形成した溝ないし段差とすることもできる。
【００１６】
前記筒状収納部１３もまた、ピアスイヤリング本体１１の他方の端部から直線状に伸びている。そしてその開口部３１は外に向かって開くテーパ状に形成され、かつ前記筒状収納部１３の内奥には前記係合ピン１２の係合溝２１を抜け止めする係合手段３２が配設されている。
なお、前記係合ピン１２と前記筒状収納部１３の関係は、前記筒状収納部１３に係合ピン１２がほぼがたつきなく挿入可能なサイズにそれぞれ形成されている。
【００１７】
前記係合手段３２は、前記筒状収納部１３の開口部３１から所定の距離をおいてピアスイヤリング本体１１に軸３５で軸着され、係合ピン１２側の端部に前記係合溝２１に係合するフック部３４を設けた首振りアーム３３と、その反対側に前記フック部３４を備えた首振りアーム３３を開閉させるための操作部３６とを備えている。３７は、前記係合手段３２を常態において閉じた状態に保持するための板バネであり、該板バネ３７で操作部３６をその裏側から押すことにより、前記首振りアーム３３を常に閉じた状態に保持するようになっている。
【００１８】
したがって、前記係合ピン１２を耳たぶの孔に挿入した上、係合ピン１２を前記筒状収納部１３の開口部３１からはめ込んで係合溝２１を前記フック部３４に引っ掛けるようにすれば、ピアスイヤリングを耳たぶに確実に装着することができるようになるのである。
その際、耳たぶへの取り付けに際して「カチッ」という係合音や感触があって、使用者に大きな安心感を与えることができる。
また、指等で前記操作部３６を押せば前記首振りアーム３３が開方向に首振りし、前記係合溝２１とフック部３４との係合が解かれて前記係合ピン１２は簡単に引き抜くことができる。
【００１９】
以下、図２ないし図７に基いて本発明のピアスイヤリングの動作について説明する。
図２ないし図４は係合ピン１２を前記筒状収納部１３内にはめ込む過程を、図５ないし図７は係合ピン１２を前記筒状収納部１３から引き抜く過程を示すものである。
先ず係合ピン１２を前記筒状収納部１３内にはめ込む過程を示す図２においては、前記係合手段３２は板バネ３７を介して常態において閉じた状態に保持されており、図示した係合ピン１２を前記筒状収納部１３の開口部３１からはめ込むのである。
【００２０】
図３においては、係合ピン１２を前記筒状収納部１３の開口部３１からはめ込み、係合ピン１２を押し込む際の圧力で、首振りアーム３３のフック部３４の端面に設けたテーパ面を滑らせ、首振りアーム３３を押し開く状態を示している。
【００２１】
図４においては、前記係合ピン１２がさらに前記筒状収納部１３の内奥まで押し込まれ、前記首振りアーム３３のフック部３４が係合ピン１２の係合溝２１に係合した状態となっている。
【００２２】
係合ピン１２を前記筒状収納部１３から引き抜く過程を示す図５においては、前記首振りアーム３３のフック部３４が係合ピン１２の係合溝２１に係合した状態において、指等で操作部３６を押そうとしている状態を示している。
【００２３】
図６においては、指等で操作部３６が押され、前記首振りアーム３３が持ち上がってフック部３４が係合ピン１２の係合溝２１から外れた状態となっている。
【００２４】
図７においては、前記首振りアーム３３が持ち上がってフック部３４が係合ピン１２の係合溝２１から外れた状態において、係合ピン１２を前記筒状収納部１３の開口部３１から引き抜いた状態となっている。
なお前記係合ピン１２は前記筒状収納部１３内を進退する際に、形状は直線状であるのに対し、その動作においては回転円に沿った円弧状に動くことになるが、そのような直線状と円弧状との相反する動きは係合ピン１２の素材の持つ弾性によって十分に吸収することが可能である。
【００２５】
図８は、係合ピン１２ａと筒状収納部１３ａの開口部３１部分の別の例を示すものである。
この例においては、係合ピン１２ａの外周の後方が太くなるように段差１２ｂが形成してあり、筒状収納部１３ａには係合ピン１２ａの段差１２ｂに対応して、内周の後方が細くなるように段差１３ｂが形成してある。
このようにすることによって、係合ピン１２ａの曲り等をより確実に防止することができる。
【産業上の利用可能性】
【００２６】
この発明のピアスイヤリングの使用に際しては、前記係合ピン１２を耳たぶの孔に挿入した上、係合ピン１２を前記筒状収納部１３の開口部３１からはめ込んで係合溝２１を前記首振りアーム３３のフック部３４に引っ掛けるようにすれば、ピアスイヤリングを耳たぶに確実に装着することができる。
したがって、図示したような単なるピアスイヤリングとしてのみならず、装身具の範疇を越えない限り、クラスプその他種々の装身具にも適用可能であることはいうまでもない。
【符号の説明】
【００２７】
１１  ピアスイヤリング本体
１２  係合ピン
１２ａ  係合ピン
１２ｂ  段差
１３  筒状収納部
１３ａ  筒状収納部
１３ｂ  段差
２１  係合溝
３１  開口部
３２  係合手段
３３  首振りアーム
３４  フック部
３５  軸
３６  操作部
３７  板バネ